(57)【要約】【課題】屋根トラスの位置決め作業を容易かつ短時間で行うことができる屋根トラス取付構造を得る。【解決手段】屋根トラス１０のガセットプレート２８の端部に折り曲げによる位置決め部３８を形成し、あおり止め金物３０の上部３０Ａの外側面に当接係止させることにより、屋根トラス１０の壁パネル１４の上端部に対する左右方向の位置決めを行うようにした。これにより、屋根トラスを左右に移動させて位置決めしたり、位置決め用の新設部品を取り付けるといった作業が不要になるので、作業も容易になり、作業時間も短縮化される。【選択図】図１
2008127953.tif 000002
【特許請求の範囲】
【請求項１】
屋根トラスの両端側に配置され、上弦材と下弦材とを連結するガセットプレートと、
このガセットプレートに一体的に設けられ、屋根トラスの両端側が壁パネルの上端側に載置される際に当該壁パネルの上端側に係合されることで壁パネルに対する屋根トラスの下弦材長手方向の位置決めを成す係合手段と、
を有することを特徴とする屋根トラス取付構造。
【請求項２】
前記壁パネルの上端側の屋根トラス配置位置には、屋根トラスの倒れ方向の変位を防止又は抑制するあおり止め部材が設置されており、
前記係合手段は、前記あおり止め部材に係止される係止部である、
ことを特徴とする請求項１記載の屋根トラス取付構造。
【請求項３】
前記係合手段は、ガセットプレートの下端部から壁パネルの上端側の構造材側へ垂下されると共に当該壁パネルの上端側の構造材に係止可能な脚部である、
ことを特徴とする請求項１記載の屋根トラス取付構造。
【請求項４】
屋根トラスの下弦材における長手方向の端部側及び当該下弦材の長手方向の端部側が載置される壁パネルの上端側のいずれか一方に設けられ、いずれか他方側へ向けて突出された軸状部材と、
屋根トラスの下弦材における長手方向の端部側及び当該下弦材の長手方向の端部側が載置される壁パネルの上端側のいずれか他方に設けられ、軸状部材が挿通されることにより壁パネルに対する屋根トラスの下弦材長手方向の位置決めを成す挿通孔と、
を有することを特徴とする屋根トラス取付構造。
【請求項５】
前記軸状部材はボルトで構成されており、当該ボルトは前記挿通孔内へ挿通された状態でナットで固定されている、
ことを特徴とする請求項４記載の屋根トラス取付構造。
【発明の詳細な説明】
【技術分野】
【０００１】
本発明は、屋根トラス取付構造に関する。
【背景技術】
【０００２】
下記特許文献１には、屋根骨組の両端部を外壁枠組の上枠の上面に接合金物を介して接合すると共に、隣接する屋根骨組間に別の接合金物を介してころび止めを取り付けた技術が開示されている。
【特許文献１】特開平１１−２１７９０１号公報
【発明の開示】
【発明が解決しようとする課題】
【０００３】
しかしながら、上記先行技術による場合、外壁枠組の上枠に対する屋根骨組の位置決めを行うには、その前に建築地で上枠にＬ型の接合金物を取り付ける必要がある。屋根骨組は所定の間隔で複数個吊り上げられながら設置されていくので、個々の屋根骨組に対してそれぞれ接合金物を取り付けていくと作業時間が長くかかる。
【０００４】
本発明は上記事実を考慮し、屋根トラスの位置決め作業を容易かつ短時間で行うことができる屋根トラス取付構造を得ることが目的である。
【課題を解決するための手段】
【０００５】
請求項１の発明に係る屋根トラス取付構造は、屋根トラスの両端側に配置され、上弦材と下弦材とを連結するガセットプレートと、このガセットプレートに一体的に設けられ、屋根トラスの両端側が壁パネルの上端側に載置される際に当該壁パネルの上端側に係合されることで壁パネルに対する屋根トラスの下弦材長手方向の位置決めを成す係合手段と、を有することを特徴とする。
【０００６】
請求項２の発明は、請求項１記載の屋根トラス取付構造において、前記壁パネルの上端側の屋根トラス配置位置には、屋根トラスの倒れ方向の変位を防止又は抑制するあおり止め部材が設置されており、前記係合手段は、前記あおり止め部材に係止される係止部である、ことを特徴とする。
【０００７】
請求項３の発明は、請求項１記載の屋根トラス取付構造において、前記係合手段は、ガセットプレートの下端部から壁パネルの上端側の構造材側へ垂下されると共に当該壁パネルの上端側の構造材に係止可能な脚部である、ことを特徴とする。
【０００８】
請求項４の発明に係る屋根トラス取付構造は、屋根トラスの下弦材における長手方向の端部側及び当該下弦材の長手方向の端部側が載置される壁パネルの上端側のいずれか一方に設けられ、いずれか他方側へ向けて突出された軸状部材と、屋根トラスの下弦材における長手方向の端部側及び当該下弦材の長手方向の端部側が載置される壁パネルの上端側のいずれか他方に設けられ、軸状部材が挿通されることにより壁パネルに対する屋根トラスの下弦材長手方向の位置決めを成す挿通孔と、を有することを特徴とする。
【０００９】
請求項５の発明は、請求項４記載の屋根トラス取付構造において、前記軸状部材はボルトで構成されており、当該ボルトは前記挿通孔内へ挿通された状態でナットで固定されている、ことを特徴とする。
【００１０】
請求項１記載の本発明によれば、屋根トラスの両端側には上弦材と下弦材とを連結するガセットプレートが配置されている。このガセットプレートには係合手段が一体的に設けられており、屋根トラスの両端側が壁パネルの上端側に載置される際に、係合手段を壁パネルの上端側に係合させることにより、壁パネルに対する屋根トラスの下弦材長手方向の位置決めがなされる。
【００１１】
従って、本発明によれば、屋根トラスを下弦材長手方向に動かしながら位置出し用の目印を壁パネルのラインに合わせたり、或いは先行技術のように建築地で接合金物を予め壁パネルの上端部に取り付ける作業をする必要もない。
【００１２】
請求項２記載の本発明によれば、壁パネルの上端側の屋根トラス配置位置には、屋根トラスの倒れ方向の変位を防止又は抑制するあおり止め部材が設置されており、このあおり止め部材に係止部を係止させることにより、屋根トラスの位置決めがなされる。すなわち、本発明によれば、ガセットプレートにあおり止め部材に係止可能な係止部を設けるだけで、屋根トラスの位置決めが可能となる。しかも、このあおり止め部材は既存部品であるから、部品点数が増加することはない。
【００１３】
請求項３記載の本発明によれば、ガセットプレートの下端部から壁パネルの上端側の構造材側へ脚部が垂下されており、この脚部を壁パネルの上端側の構造材に係止させることにより、屋根トラスの位置決めがなされる。
【００１４】
請求項４記載の本発明によれば、屋根トラスの両端部を一対の壁パネルの上端部間に架け渡されるように載置する際に、屋根トラスの下弦材における長手方向の端部側及び当該下弦材の長手方向の端部側が載置される壁パネルの上端側のいずれか一方に設けられた軸状部材を、いずれか他方に設けられた挿通孔内へ挿通させることにより、壁パネルに対する屋根トラスの下弦材長手方向の位置決めがなされる。
【００１５】
従って、本発明によれば、屋根トラスを下弦材長手方向に動かしながら位置出し用の目印を壁パネルのラインに合わせたり、或いは先行技術のように建築地で接合金物を予め壁パネルの上端部に取り付ける作業をする必要もない。
【００１６】
請求項５記載の本発明によれば、軸状部材がボルトで構成されており、ボルトを挿通孔内へ挿通させた後にナットが螺合されることにより、屋根トラスの端部側を壁パネルの上端部に固定することができる。従って、軸状部材をボルトとせず位置決めピンにして挿通孔内へ位置決めピンを通すのみで位置決めをなし、屋根トラスと壁パネルとの接合を別途設ける場合に比し、屋根トラスの位置決め作業と固定作業を同時にできる。
【発明の効果】
【００１７】
以上説明したように、請求項１記載の本発明に係る屋根トラス取付構造は、屋根トラスの位置決め作業を容易かつ短時間で行うことができるという優れた効果を有する。
【００１８】
請求項２記載の本発明に係る屋根トラス取付構造は、部品点数の増加を招くことなく、屋根トラスの位置決めを行うことができるので、構造が簡素であり、コスト及び重量の増加を抑制することができるという優れた効果を有する。
【００１９】
請求項３記載の本発明に係る屋根トラス取付構造は、部品点数の増加を招くことなく、屋根トラスの位置決めを行うことができるので、構造が簡素であり、コスト及び重量の増加を抑制することができるという優れた効果を有する。さらに、本発明は、屋根トラスの据付時の据付方向に脚部が延びているため、屋根トラスの据付と同時に位置決めがなされるという優れた効果を有する。
【００２０】
請求項４記載の本発明に係る屋根トラス取付構造は、屋根トラスの位置決め作業を容易かつ短時間で行うことができるという優れた効果を有する。
【００２１】
請求項５記載の本発明に係る屋根トラス取付構造は、屋根トラスの位置決め作業と固定作業を同時に行うことができ、その結果、作業効率の向上及び作業時間の短縮化を図ることができるという優れた効果を有する。
【発明を実施するための最良の形態】
【００２２】
〔第１実施形態〕
以下、図１〜図６を用いて、本発明に係る屋根トラス取付構造の第１実施形態について説明する。
【００２３】
図１には、本実施形態に係る屋根トラス取付構造の要部であるトラス接合部の斜視図が示されている。また、図２にはトラス接合部であるＡ線矢視部の水平断面図が示されている。さらに、図３には、Ａ線矢視部の拡大斜視図が示されている。
【００２４】
これらの図に示されるように、屋根トラス１０は二等辺三角形状に構成されており、建物１２の外壁を構成する左右の壁パネル１４の上端部間に所定の間隔で複数個架け渡されて接合されることにより、建物１２の屋根の骨組を構成している。壁パネル１４は、パネル下端部に配置された長尺状の下枠ランナ材（図示省略）と、この下枠ランナ材の内側に所定の間隔で配置された複数本のスタッド１６と、複数本のスタッド１６の上端部に被嵌されて下枠ランナ材材と平行に配置される上枠ランナ材１８と、これらの構造材の外側面（屋外側の面）に取り付けられる合板２０と、これらの構造材の内側面（屋内側の面）に取り付けられるプラスターボード（図示省略）と、を含んで構成されている。なお、下枠ランナ材及び上枠ランナ材１８は溝形鋼によって構成されており、スタッド１６はリップ付き溝形鋼によって構成されている。但し、鋼材の断面形状はこれに限定されない。
【００２５】
上述した壁パネル１４の上枠ランナ材１８上には頭つなぎ２２が配置されており、この頭つなぎ２２に平面視で直交するように屋根トラス１０の端部側が接合されている。屋根トラス１０は斜辺側に上弦材２４が配置されており、又屋根トラス１０の底辺側には下弦材２６が配置されている。なお、上弦材２４及び下弦材２６はいずれも溝形鋼によって構成されている。下弦材２６の長手方向の端部は頭つなぎ２２の上面に載置されており、上弦材２４は下弦材２６の長手方向の端部の上を通って壁パネル１４よりも外側（屋外側）へ張り出されている。なお、上弦材２４が軒先より出ない構成にしてもよい。
【００２６】
上述した上弦材２４の長手方向の端部の手前部分と下弦材２６の長手方向の端部とは上下に対向して配置されており、両者は一対のガセットプレート２８によって接合されている。ガセットプレート２８は平板で形成されており、屋根トラス１０の正面側から見ると台形状をなしている。
【００２７】
また、屋根トラス１０の長手方向の端部側は、あおり止め金物３０によって壁パネル１４の上端部に接合されている。あおり止め金物３０は、壁パネル１４側から見て、等脚台形状の上部３０Ａと、その下方に連続して延出された矩形状の下部３０Ｂと、を備えている。下部３０Ｂは壁パネル１４の上端部にビス３２で固定されている。上部３０Ａの中央には、屋根トラス１０と一対のガセットプレート２８を受け入れることが可能な矩形状の切欠３４が形成されている。さらに、上部３０Ａにおける切欠形成部位の両側は屋根トラス１０の中心方向へ直角に折り曲げられており、この切欠３４内に屋根トラス１０と一対のガセットプレート２８が挿入された状態では一対の折り曲げ部３６がガセットプレート２８の側面２８Ａに当接するようになっている。そして、折り曲げ部３６をガセットプレート２８の側面２８Ａにビス（図示省略）で固定することにより、風によって屋根トラス１０が倒れ方向へ傾くのを規制している。
【００２８】
ここで、上述した一対のガセットプレート２８の外側の端部は、屋根トラス１０の上弦材２４から離間する方向へそれぞれ折り曲げられており、位置決め部３８を構成している。あおり止め金物３０の切欠３４内に屋根トラス１０及び一対のガセットプレート２８が挿入された状態では、あおり止め金物３０の上部３０Ａの外側面にガセットプレート２８の一対の折り曲げ部３６が当接係止された状態で配置されるようになっており、この状態で位置決め部３８と折り曲げ部３６とがビス４０で固定されている。
【００２９】
すなわち、ガセットプレート２８の位置決め部３８の内側面をあおり止め金物３０の上部３０Ａの外側面に当接係止させることにより、壁パネル１４の上端部に対する屋根トラス１０の左右方向（図２の矢印Ｂ方向）の位置決めがなされる構成である。因みに、ガセットプレート２８の側面２８Ａの下縁側には上方へ延びる一条のスリット４２が形成されているが、これは後述するように従来から設定されている位置決め手段であり、ガセットプレート２８の位置決め部３８をあおり止め金物３０の上部３０Ａの外側面に当接係止させると、スリット４２が頭つなぎ２２の内側面に位置されるようになっている。その意味では、本実施形態の場合、位置決め部３８がスリット４２の替わりをするので、スリット４２を廃止しても一向に差し支えない。またそのままスリット４２を残しておけば、位置決め手段を二重に備えているということになる。
【００３０】
（作用・効果）
次に、本実施形態の作用並びに効果について説明する。
【００３１】
壁パネル１４が設置された後にクレーンで屋根トラス１０が吊り込まれて、左右の壁パネル１４の上端部間に架け渡されるように据え付けられる。なお、屋根トラス１０は所定の間隔で複数個設置される。
【００３２】
ここで、本実施形態では、屋根トラス１０の端部側に設けられたガセットプレート２８に、折り曲げによる一対の位置決め部３８が形成されている。屋根トラス１０の設置に際しては、この位置決め部３８を利用して設置される。すなわち、屋根トラス１０の端部側及び一対のガセットプレート２８を、壁パネル１４の上端外側面に固定されて頭つなぎ２２の上面から立設されたあおり止め金物３０の切欠３４内に挿入し（落とし込み）、その際に一対の位置決め部３８があおり止め金物３０の上部３０Ａの外側面に当接係止されるように挿入していく。屋根トラス１０の両端側にて一対の位置決め部３８が左右のそれぞれのあおり止め金物３０の上部３０Ａの外側面に当接係止されるように挿入していくことで、壁パネル１４に対する屋根トラス１０の下弦材長手方向の位置決めがなされる。
【００３３】
従って、図５及び図６に示される従来の手法のように、屋根トラス４４を下弦材長手方向（図６の矢印Ｃ方向）に動かしながら位置出し用のスリット４６を壁パネル４８の内側ライン５０に合わせたり、或いは先行技術のように建築地で接合金物を予め壁パネルの上端部に取り付ける作業をする必要もない。
【００３４】
その結果、本実施形態によれば、建築地での施工工数を低減することができ、屋根トラス１０の位置決め作業を容易かつ短時間で行うことができる。また、位置決め部３８があおり止め金物３０の上部３０Ａの外側面に面接触していれば、屋根トラス１０の位置決めが正確になされたことが解るので、屋根トラス１０の配置精度を向上させることができる。
【００３５】
さらに、図４に示されるように、屋根トラス１０を左右の壁パネル１４の上端部間に架け渡して設置する際に、左右のガセットプレート２８の位置決め部３８を左右の対応するあおり止め金物３０の上部３０Ａの外側面にそれぞれ当接係止させて位置決めすることにより、左右の壁パネル１４の傾き（図４の矢印Ｄ参照）を補正することができる。従って、屋根トラス１０の据付工程を利用して、壁パネル１４の直角精度を向上させることができる。
【００３６】
加えて、本実施形態では、屋根トラス１０に元々設置されているガセットプレート２８の外側の端部を折り曲げて位置決め部３８を形成しているので、位置決め手段としては何ら部品点数は増加していない。また、あおり止め金物３０もこれ自体は元々使われている部品であるから、壁パネル１４側の構成の部品点数も増加していない。従って、本実施形態によれば、部品点数の増加を招くことなく、屋根トラス１０の位置決めを行うことができることになり、その意味において構造の簡素化を図ることができ、かつコスト及び重量の増加を抑制することができる。
【００３７】
〔第２実施形態〕
以下、図７及び図８を用いて、本発明に係る屋根トラス取付構造の第２実施形態について説明する。なお、前述した第１実施形態と同一構成部分については、同一番号を付してその説明を省略する。
【００３８】
図７及び図８に示されるように、この第２実施形態では、ガセットプレート６０の形状及び構造に特徴がある。
【００３９】
具体的に説明すると、図７（Ａ）はガセットプレート６０を頭つなぎ２２及び上枠ランナ材１８から分離した状態を描いた斜視図であり、図７（Ｂ）はガセットプレート６０を別の角度から見た単体の斜視図である。これらの図に示されるように、ガセットプレート６０は、前述した第１実施形態のガセットプレート２８とは異なり、屋根トラス１０の端部側の両側面に配置されて上弦材２４と下弦材２６とを接合する一対の側部６０Ａと、この一対の側部６０Ａの上縁同士を繋ぐ頂部６０Ｂと、各側部６０Ａの内側の端部から互いに離間する方向へ直角に屈曲された一対の脚部６０Ｃと、各脚部６０Ｃの下端部に形成された係止部（クリップ）６０Ｄと、によって構成されている。なお、ガセットプレート６０はプレス成形によって構成されている。
【００４０】
図８（Ａ）には上記構成のガセットプレート６０を用いた屋根トラス１０の組付状態の側面図が示されており、図８（Ｂ）には当該組付状態を屋内側から見た正面図が示されている。これらの図に示されるように、屋根トラス１０が壁パネル１４の上端部に組付けられた状態では、ガセットプレート６０の脚部６０Ｃは頭つなぎ２２を越えて上枠ランナ材１８の屋内側のフランジ１８Ａに達しており、係止部６０Ｄは当該屋内側のフランジ１８Ａに弾性的に係止されている。逆に言えば、脚部６０Ｃの延出方向の長さは、屋根トラス１０が壁パネル１４の上端部に組付けられた際に、係止部６０Ｄが上枠ランナ材１８の屋内側のフランジ１８Ａの下縁に係止される長さに設定されている。なお、脚部６０Ｃはその板厚方向へ弾性変形可能であり、係止部６０Ｄはフランジ１８Ａから容易に外れることがないようにレの字状に屈曲されている。
【００４１】
（作用・効果）
上記構成によっても、前述した第１実施形態の場合と同様の作用・効果が得られる。すなわち、クレーンで吊り上げられた屋根トラス１０を、左右の壁パネル１４の上端部間に架け渡すように載置する際、ガセットプレート６０の一対の脚部６０Ｃが上枠ランナ材１８のフランジ１８Ａ側に降りてくる。脚部６０Ｃには係止部６０Ｄが形成されているため、フランジ１８Ａの屋内側の面に干渉するが脚部６０Ｃはその板厚方向へ弾性変形可能であるため、自らを弾性変形させながらフランジ１８Ａの屋内側の面上を摺動していき、ガセットプレート６０の両側部６０Ａの下縁が頭つなぎ２２の上面に当接した時点で、係止部６０Ｄが弾性復元力でフランジ１８Ａに係止される。上記の位置決め動作が屋根トラス１０の左右両端側で行われることにより、屋根トラス１０の壁パネル１４の上端部に対する下弦長手方向の位置決めがなされる。
【００４２】
その結果、本実施形態によっても、前述した第１実施形態の場合と同様に、建築地での施工工数を低減することができ、屋根トラス１０の位置決め作業を容易かつ短時間で行うことができる。また、屋根トラス１０の左右両側でガセットプレート６０の合計４個の係止部６０Ｄが左右の上枠ランナ材１８のフランジ１８Ａにそれぞれ同時に係止されることにより、屋根トラス１０の左右方向（屋根トラス１０の下弦長手方向）の位置決めが正確になされたことが解るので、屋根トラス１０の配置精度を向上させることができる。
【００４３】
さらに、この実施形態においても、屋根トラス１０を左右の壁パネル１４の上端部間に架け渡して設置する際に、左右のガセットプレート６０の係止部６０Ｄを左右の対応する上枠ランナ材１８のフランジ１８Ａの屋内側の面にそれぞれ弾性的に係止させて位置決めすることにより、左右の壁パネル１４の傾きをある程度補正することができる。従って、屋根トラス１０の据付工程を利用して、壁パネル１４の直角精度をある程度向上させることができる。
【００４４】
加えて、この本実施形態においても、元々使用されているガセットプレートの形状及び構造を変更した構成なので、位置決め手段としては何ら部品点数は増加していない。また、前述した第１実施形態と異なり、位置決めのためにあおり止め金物が必要になることもない。従って、本実施形態によれば、前述した第１実施形態のときよりも、位置決めに要する部品点数は少なくなり、より一層の構造の簡素化を図ることができ、かつコスト及び重量の増加を抑制することができる。
【００４５】
さらに、この実施形態では、屋根トラス１０の据付時の据付方向（鉛直下方）に脚部６０Ｃが延びているため、屋根トラス１０の据付と同時に屋根トラス１０の壁パネル１４の上端部に対する位置決めがなされるというメリットがある。つまり、屋根トラス１０の据付作業と位置決め作業とを一工程で同時に行うことができる。従って、この点においても、施工作業効率の向上及び施工時間の短縮化を図ることができ、最終的には工期の短縮化に貢献する。
【００４６】
〔第３実施形態〕
以下、図９及び図１０を用いて、本発明に係る屋根トラス取付構造の第３実施形態について説明する。なお、前述した第１実施形態と同一構成部分については、同一番号を付してその説明を省略する。
【００４７】
図９及び図１０に示されるように、この第３実施形態では、前述した第１実施形態及び第２実施形態と異なり、屋根トラス１０の下弦材２６の下側のフランジ２６Ａに軸状部材としてのボルト７０及びウエルドナット７２が予め固着されている。ボルト７０は下弦材２６の下側のフランジ２６Ａから下方側へ突出されている。
【００４８】
一方、壁パネル１４の上端部に配置された頭つなぎ２２及び上枠ランナ材１８のウェブ１８Ｂには、ボルト７０と同軸上にボルト挿通孔７４が形成されている。そして、ボルト挿通孔７４内へボルト７０が挿通され、貫通端部にナット７６（図１０（Ｂ）参照）が螺合されることにより、屋根トラス１０の端部側が壁パネル１４の上端部に固定されるようになっている。
【００４９】
（作用・効果）
上記構成によっても、前述した第１実施形態の場合と同様の作用・効果が得られる。すなわち、クレーンで吊り上げられた屋根トラス１０を、左右の壁パネル１４の上端部間に架け渡すように載置する際、下弦材２６の長手方向の両端部側から下向きに立設された一対のボルト７０を、左右の壁パネル１４の上端部にそれぞれ形成された一対のボルト挿通孔７４内へ挿通させる。その後、ボルト７０の貫通端部にナット７６を螺合させれば、屋根トラス１０の壁パネル１４の上端部に対する下弦長手方向の位置決めがなされると同時に固定もなされる。
【００５０】
その結果、本実施形態によっても、前述した第１実施形態の場合と同様に、建築地での施工工数を低減することができ、屋根トラス１０の位置決め作業を容易かつ短時間で行うことができる。また、屋根トラス１０の左右両側で２本のボルト７０が左右の壁パネル１４の上端部のボルト挿通孔７４内へそれぞれ同時に挿通されることにより、屋根トラス１０の左右方向（屋根トラス１０の下弦長手方向）の位置決めが正確になされたことが解るので、屋根トラス１０の配置精度を向上させることができる。
【００５１】
さらに、この実施形態においても、屋根トラス１０を左右の壁パネル１４の上端部間に架け渡して設置する際に、左右一対のボルト７０を左右の壁パネル１４のボルト挿通孔７４内へ挿入させ、ナット７６で締結することにより、左右の壁パネル１４の傾きを補正することができる。従って、屋根トラス１０の据付工程を利用して、壁パネル１４の直角精度を向上させることができる。
【００５２】
加えて、本実施形態では、ボルト７０をボルト挿通孔７４内へ挿通させた後にナット７６が螺合されることにより、屋根トラス１０の端部側を壁パネル１４の上端部に固定することができる。従って、軸状部材をボルトとせず位置決めピンにして挿通孔内へ位置決めピンを通すのみで位置決めをなし、屋根トラスと壁パネルとの接合を別途設ける場合に比し、屋根トラス１０の位置決め作業と固定作業を同時にできる。その結果、本実施形態によれば、施工作業効率の向上及び施工時間の短縮化をより一層図ることができる。なお、請求項４記載の発明には、軸状部材をボルトとせず位置決めピンにして挿通孔内へ位置決めピンを通すのみで位置決めをなし、屋根トラスと壁パネルとの接合を別途設ける構成も含まれる。
【００５３】
さらに、この実施形態でも、第２実施形態の場合と同様に、屋根トラス１０の据付時の据付方向（鉛直下方）にボルト７０が突出されているため、屋根トラス１０の据付と同時に屋根トラス１０の壁パネル１４の上端部に対する位置決めがなされるというメリットがある。つまり、屋根トラス１０の据付作業と位置決め作業とを一工程で同時に行うことができる。従って、この点においても、施工作業効率の向上及び施工時間の短縮化を図ることができ、最終的には工期の短縮化に貢献する。
【００５４】
また更に、本実施形態では、平面視で見た場合に、屋根トラス１０の厚さ（下弦材２６のフランジ２６Ａの高さ）の範囲内にボルト７０が下向きに突出されており、このボルト７０を壁パネル１４の頭つなぎ２２及び上枠ランナ材１８に形成されたボルト挿通孔７４内へ挿通させて位置決めする構成であるので、屋根トラス１０の上弦材２４、下弦材２６の厚さの範囲内に位置決め手段が納まる。従って、位置決め手段を設置するための設置スペースを特別に確保する必要がなく、部材レイアウトに影響を及ぼさない（他部品と干渉することがない）というメリットがある。
【００５５】
なお、上述した本実施形態では、屋根トラス１０の下弦材２６にボルト７０を設け、壁パネル１４の上端部側にボルト挿通孔７４を形成する構成を採ったが、これに限らず、壁パネル１４の上端部側にボルトを立設させ、屋根トラス１０の下弦材２６側にボルト挿通孔を形成してもよい。
【図面の簡単な説明】
【００５６】
【図１】第１実施形態に係る屋根トラス取付構造の要部を示す斜視図である。
【図２】図１に示される屋根トラス取付構造の要部であるＡ線矢視部の水平断面図である。
【図３】図１に示される屋根トラス取付構造の要部であるＡ線矢視部の拡大図である。
【図４】第１実施形態に係る屋根トラス取付構造の効果を説明するための説明図である。
【図５】従来の屋根トラス取付構造の要部を拡大した正面図である。
【図６】図５に示される従来の屋根トラス取付構造を用いた場合の課題を説明するための説明図である。
【図７】第２実施形態に係る屋根トラス取付構造の要部を示した図であり、（Ａ）はガセットプレートを頭つなぎ及び上枠ランナ材から分離した状態を描いた斜視図であり、（Ｂ）はガセットプレートを別の角度から見た単体の斜視図である。
【図８】（Ａ）は図７に示されるガセットプレートを用いた屋根トラスの組付状態を示す側面図であり、（Ｂ）は当該組付状態を屋内側から見た正面図である。
【図９】第３実施形態に係る屋根トラス取付構造の要部を示す斜視図である。
【図１０】作業手順を示しており、（Ａ）はボルト差込み前の状態を示す正面図であり、（Ｂ）はボルト差込み後にナットを締めた状態を示す正面図である。
【符号の説明】
【００５７】
１０    屋根トラス
１４    壁パネル
１８    上枠ランナ材（請求項３の構造材）
２４    上弦材
２６    下弦材
２８    ガセットプレート
３０    あおり止め金物（あおり止め部材）
３８    位置決め部（係合手段、請求項２の係止部）
６０    ガセットプレート
６０Ｃ  脚部（係合手段、請求項３の脚部）
６０Ｄ  係止部（係合手段、請求項３の脚部）
７０    ボルト（軸状部材）
７４    ボルト挿通孔（挿通孔）
７６    ナット
【図１】
2008127953.tif 000003
【図２】
2008127953.tif 000004
【図３】
2008127953.tif 000005
【図４】
2008127953.tif 000006
【図５】
2008127953.tif 000007
【図６】
2008127953.tif 000008
【図７】
2008127953.tif 000009
【図８】
2008127953.tif 000010
【図９】
2008127953.tif 000011
【図１０】
2008127953.tif 000012